(57)【要約】【課題】  靴底、甲被などのすべてのパーツが一体成型された、軽く屈曲性のある合成樹脂を使用した靴を提供する。【解決手段】  軽量かつ柔軟性のある合成樹脂を用いて、靴本体部３と靴底部２とが一体成型された靴１を構成する。一体成型時に、アクセサリ用パーツを差替え自在とするための取付け穴６や凹部８も形成される。前記アクセサリ用パーツには、各種の色で着色されたテープ類７、商標、ロゴ、あるいは図柄を表したラベル５などが含まれ、単一の色彩の靴１に色彩上のアクセントを付ける等の役割を果たす。【選択図】  図２
0003139795.tif 000002
【実用新案登録請求の範囲】
【請求項１】
靴本体部と靴底部とが一体成型された、軽量かつ柔軟性のある合成樹脂を用いた靴であって、一体成型時に、アクセサリ用パーツを差替え自在とするための取付け穴や凹部が形成されることを特徴とする靴。
【請求項２】
前記アクセサリ用パーツには、商標、ロゴ、あるいは図柄を表したラベルが含まれることを特徴とする請求項１に記載の靴。
【考案の詳細な説明】
【技術分野】
【０００１】
靴底、甲被などのすべてのパーツが一体成型された、軽く屈曲性のある合成樹脂を使用した靴に関する。
【背景技術】
【０００２】
合成樹脂を用いた靴の製法として、射出成形やスラッシュ成形が代表的である。これらの製法では、防水性・防湿性の観点などから靴底部と、靴底部以外の部分とを一体成型して継ぎ目をなくすことが行われることがある。例えば、特許文献２に開示されている、足なり形状を有した射出整形用靴型を用いた靴では、靴底と靴甲被とが一体成型されている。特許文献３には、一体成型した合成樹脂の靴本体部に、合成ゴム製の靴底を接着した靴が開示されている。
しかし、特許文献２、３は一部のパーツだけであるが、特許文献１のように靴を構成する全パーツを一体成型することも行われている。
特許文献１に開示されている考案は、樹脂を射出成形して靴のパーツすべてを一体的に成形した靴に関するものである。
【０００３】
【特許文献１】実用新案登録第３１１６２５３号公報
【特許文献２】特開２００７−３８５１５号公報
【特許文献３】特開２００１−１６９８０１号公報
【考案の開示】
【考案が解決しようとする課題】
【０００４】
特許文献１に開示されている靴は、一体成型という一工程で製造できるので、安価な靴を大量生産するのに適していて、しかも軽い。
しかし、靴底と甲被とを異なる素材で作った従来の靴と異なり、デザインの観点からは、単調な感じがするのは否めない。軽さという優れたメリットがあっても、機能面の優位さだけでは、必ずしも消費者を引き付けることはできない。多種多様な商品があふれている現代の日本では、単に安価で品質が良いだけでは足りず、プラスアルファが無くては、消費者に飽きられてしまう。
さらに、特許文献１では、極めて軽いことを効果の一つに挙げているが、靴の履き心地の観点からは軽いだけではなく、足の形状にフィットすることも重要である。
そのため、本考案では、製造コストを抑えることができるとともに、軽量で足裏にフィットし、かつ、デザインの多様性にも配慮した靴を提供することを目的とする。
【課題を解決するための手段】
【０００５】
前記の目的を達成するために、本考案は、
靴本体部と靴底部とが一体成型された、軽量かつ屈曲性のある合成樹脂を用いた靴であって、一体成型時に、アクセサリ用パーツを差替え自在とするための取付け穴や凹部が形成されることを特徴とする。
ここで、靴底部とは、かかと、爪先を含む靴の底部分であり、靴本体部とは、靴の靴底部を除いた部分をいう。したがって、靴本体部と靴底部とが一体成型されるとは、靴のすべての構成部分が一体成型されることと同義である。
本考案の靴では、軽量であると同時に、屈曲性もある合成樹脂を使用するので、軽くて足にフィットする履き心地のよい靴となる。
しかも、同一デザインの靴が大量生産されることになるが、アクセサリによってデザインの多様性を実現しうる。このことは、豊富な商品に囲まれた我がままな消費者へのアピールポイントとなり、ロゴなどを糸で縫いこんだ市販の多くの靴とは異なる。
【０００６】
また、本考案の前記アクセサリ用パーツには、商標、ロゴ、あるいは図柄を表したラベルを含めてもよい。
ここで、ラベルとは、糸で縫いつけるワッペンのようなものではなく、甲被などに設けられた取付け穴を貫通する取付け部材を備えたバッチ状のものをいう。
ロゴを表した小さなラベルなどのワンポイントを変えるだけでも、印象が違ったものとなることがあり、使用者に満足感を与える。
【考案の効果】
【０００７】
軽く、足底にフィットする履き心地のよい靴を安価に提供できる。
また、ロゴや図柄を表したラベルなどを差替え自在なので、たとえば、異なる販売先に、異なるラベルを付して納品するような場合に迅速に対応できる。
【考案を実施するための最良の形態】
【０００８】
図１を参照しながら、本考案の靴の実施形態を説明する。
本実施形態の靴１は、靴底部２と靴本体部３とを合成樹脂を一体成型させてなるものである。靴底部２は、踵部２ａ、爪先部２ｂを含み、靴本体部３は、甲被４を主要パーツとする。甲被４は、ヒールカウンタ部４ａ、タン部４ｂなどから構成される。
【０００９】
従来の靴、つまり、靴１のように靴全体が一体成型によって製造される靴以外であれば、図１の破線Ｌの上方の靴本体部と、下方の靴底部とは別パーツを構成する。靴本体部は、甲被の下縁部に糸で縫合等された中底を備え、この中底が靴底部に接着される。したがって、縫合部分や接着部分がほころびたり、雨水が浸透したりする。また、このような従来の靴は、靴本体部と靴底部とを異なる素材で構成することが多く、靴底部分などは重くなりがちである。
【００１０】
これに対し、靴１では、靴底部２と靴本体部３とを一体成型させるので、甲被に連なる中底が不要であり、かつ、縫合部分や接着部分が存在しない。
中底のようなパーツが無いこと、および素材として軽量な合成樹脂を採用することから、極めて軽く足が疲れない。
また、靴底部を靴本体部に縫合したり、接着したりしていないので、縫い目や接合部分などから雨水が浸透したりすることがない。そのため、雨天の日の外出時、洗車やガーデニングなどの水を使う作業時に履くのに最適である。
さらに、屈曲性のある、すなわち柔軟な合成樹脂を採用するので、足裏の形状にフィットし、履き心地がよい。
【００１１】
図２の上段に示すように、靴１には、ロゴマーク５を付けるための取付け穴６、テープ７を付けるための凹部８が成型時に同時に形成される。なお、ロゴマーク５、テープ７は、請求項１にいうアクセサリ用パーツの具体例である。
取付け穴６には、ロゴマーク５を表面に表したラベルの裏面に設けられた取付け部材を貫通させる。凹部８の側面８ａの高さは、テープ７の厚みとほぼ等しくする。
図２の下段には、靴１に、ロゴマーク５、テープ７を付した状態を示す。なお、テープ７は、凹部８に接着剤などを用いて貼り付けてもよいが、裏に両面粘着テープを貼り付けて、貼着・剥離自在としておけば、廃棄の際に便利である。
ロゴマーク５などのアクセサリを付す位置は、図２に例示するものに限らず、例えば、踵の上方などに設けてもかまわない。
【００１２】
本考案は、靴の製造工程を少なくし、製造コストを低減させることも目的である。靴本体がこの目的にかなっても、ロゴマークなどのアクセサリをつける手間がかかって製造コストを押し上げては意味がない。一体成型時に、ロゴマークの取付け穴、テープの厚みに相当する凹部等を形成しておくことは、この問題の解決になる。靴とともにロゴマークを添付して販売し、購入者が複数設けられた取付け穴の好みの位置にロゴマークを付すこともできる。あるいは、ゴルフ場運営会社などが顧客へのサービスとして、この靴を配る際、自社のマークを付して贈ってもよい。
【００１３】
靴１は、アクセサリ用パーツを除く靴本体は、一体成型されていることから、廃棄という観点において次のような効果がある。
靴は消耗品であり、どのような靴でもいずれは廃棄されるが、靴１は、リサイクルが容易なので、資源保護の観点からも好ましい靴である。靴本体は同一の合成樹脂で一体成型されており、通常の靴のように、靴底と他のパーツとが別の素材からなっていたり、パーツ同士を糸で縫合したりしているわけではない。したがって、ロゴマークなどを除去した後の靴は、蓋と包装紙を除去したペットボトルをリサイクルするのと同様な感覚でリサイクルができ、環境重視という時代の要請にかなっている。
【００１４】
ところで、靴１を着用する際、図示しない中敷きを適宜使用するとよい。
通常の靴は、各種のサイズに対応した製品が用意されている。たとえば、同じ２４ｃｍの靴でも「２４」、「２４Ｅ」、「２４ＥＥ」、「２４ＥＥＥ」等である。しかし、この実施形態の靴１は一体成型により製造するため、きめ細かく多数のサイズ種類に対応するのに適さない。そのため、使用者は、必要に応じて中敷きを使い、靴１を自分の足にフィットさせればよい。
さらに、靴１は、靴底も靴本体も一体となっており同一の色であるため、中敷きとして各種の色彩のものを用意しておくならば、多色化が可能になる。
【産業上の利用可能性】
【００１５】
履き心地のよい靴を安価に提供できるとともに、ロゴ等の差し替えが自由であり、廃棄する際の環境への配慮もしている。
【図面の簡単な説明】
【００１６】
【図１】実施形態の靴の側面図である。
【図２】実施形態の靴にアクセサリを付加することを説明する図である。
【符号の説明】
【００１７】
１  靴
２  靴底部
３  靴本体部
４  甲被
５，７  アクセサリ用パーツ
６  取り付け穴
８  凹部
【図１】
0003139795.tif 000003
【図２】
0003139795.tif 000004